(57)【要約】【課題】  各エリアに対応した専用操作画面を簡単に表示できるようにする。【解決手段】  タッチパネル式ディスプレイ及び無線通信機能を有する移動体通信端末１０と、移動体通信端末１０から無線発信される制御信号により遠隔操作される操作対象機器２０と、移動体通信端末１０が操作対象機器２０を遠隔操作可能な特定のエリアにあることを認識する端末認識手段とを備え、前記端末認識手段による前記認識があることを条件に、移動体通信端末１０のタッチパネル式ディスプレイに操作対象機器２０を操作するための専用操作画面１５を表示する。【選択図】  図１
2018182425.tif 000002
【特許請求の範囲】
【請求項１】
タッチパネル式ディスプレイ及び無線通信機能を有する移動体通信端末と、該移動体通信端末から無線発信される制御信号により遠隔操作される操作対象機器と、前記移動体通信端末が前記操作対象機器を遠隔操作可能な特定のエリアにあることを認識する端末認識手段とを備え、
前記端末認識手段による前記認識があることを条件に、前記移動体通信端末のタッチパネル式ディスプレイに前記操作対象機器を操作するための専用操作画面を表示することを特徴とする遠隔操作システム。
【請求項２】
前記端末認識手段は、前記特定のエリアにて所定の無線信号を発信し続ける近距離無線発信機を備え、前記移動体通信端末が前記所定の無線信号を受信した場合に、前記認識があったものとみなすことを特徴とする請求項１記載の遠隔操作システム。
【請求項３】
前記端末認識手段は、前記特定のエリアに前記移動体通信端末が進入するのを感知する進入感知部を備え、前記進入感知部による感知信号がある場合に、前記認識があったものとみなすことを特徴とする請求項１又は２記載の遠隔操作システム。
【請求項４】
前記端末認識手段は、前記特定のエリアの入口に、近接する移動体通信端末を感知する近接感知部を備え、前記近接感知部が前記移動体通信端末の接近を感知した場合に、前記認識があったものとみなすことを特徴とする請求項１乃至３何れか１項記載の遠隔操作システム。
【請求項５】
前記端末認識手段は、前記操作対象機器又は前記操作対象機器の近傍に、近接させた前記移動体通信端末により感知可能なＩＣタグを備え、前記移動体通信端末により前記ＩＣタグのデータを読み取り、前記ＩＣタグのデータが予め前記移動体通信端末に記憶したデータに一致した場合に、前記認識があったものとみなすことを特徴とする請求項１乃至４何れか１項記載の遠隔操作システム。
【請求項６】
前記端末認識手段は、前記操作対象機器又は前記操作対象機器の近傍に、前記移動体通信端末により撮像可能なコード表示を備え、前記移動体通信端末により前記コード表示が撮像され、その撮像された前記コード表示に含まれるデータが予め前記移動体通信端末に記憶したデータに一致した場合に、前記認識があったものとみなすことを特徴とする請求項１乃至５何れか１項記載の遠隔操作システム。
【請求項７】
前記移動体通信端末には、操作者を認証する認証装置が具備され、
前記専用操作画面を表示する条件には、前記認証装置による認証があることが含まれることを特徴とする請求項１乃至６何れか１項記載の遠隔操作システム。
【請求項８】
前記移動体通信端末には傾きセンサが具備され、
前記専用操作画面を表示する条件には、前記傾きセンサにより所定の傾きを感知したことが含まれることを特徴とする請求項１乃至７何れか１項記載の遠隔操作システム。
【請求項９】
前記操作対象機器が、複数の異なるエリアにそれぞれ設けられ、
前記移動体通信端末は、前記複数の異なるエリアにそれぞれ対応した異なる専用操作画面を記憶し、これら複数の専用操作画面のうち、前記認識のあった端末認識手段に応じた専用操作画面を表示することを特徴とする請求項１乃至８何れか１項記載の遠隔操作システム。
【請求項１０】
前記操作対象機器がシャッター装置であることを特徴とする請求項１乃至９何れか１項記載の遠隔操作システム。
【発明の詳細な説明】
【技術分野】
【０００１】
本発明は、住宅やビル、倉庫、工場、地下街、トンネル、車両の荷台等の構造物の開口部や通路に設けられる開閉装置（例えば、シャッター装置、ブラインド装置、ロールスクリーン装置、垂れ幕装置、引戸装置、移動間仕切装置、オーニング装置、防水板装置等）や、その他の機器を操作対象とした遠隔操作システムに関するものである。
【背景技術】
【０００２】
従来、この種の発明には、例えば特許文献１に記載されるものように、スマートフォンのタッチパネル式ディスプレイに開ボタン、停止ボタン及び閉ボタン等を表示し、これら複数のボタンのうち、何れかのボタンが選択的に操作された場合に、操作されたボタンに対応する制御指令を無線発信し、該制御指令を受信した操作対象機器の動作を制御するようにした制御システムがある。
この従来技術によれば、専用のリモコン操作スイッチを用いずとも、専用プログラム（アプリ）をインストールしたスマートフォンを用いて操作対象機器に制御指令を発信することができる。
【先行技術文献】
【特許文献】
【０００３】
【特許文献１】特開２０１３−１６３９５８号公報
【発明の概要】
【発明が解決しようとする課題】
【０００４】
ところで、前記従来技術によれば、例えば、建物内に複数の部屋があり、それぞれの部屋に操作対象機器がある場合、スマートフォンには、部屋毎あるいは操作対象機器毎に、異なる専用操作画面を表示する必要がある。このため、操作者に対し、前記専用操作画面の切り換え操作を煩わしく、前記専用操作画面を表示するのに数ステップの操作を要する場合がある。
【課題を解決するための手段】
【０００５】
このような課題に鑑みて、本発明は、以下の構成を具備するものである。
タッチパネル式ディスプレイ及び無線通信機能を有する移動体通信端末と、該移動体通信端末から無線発信される制御信号により遠隔操作される操作対象機器と、前記移動体通信端末が前記操作対象機器を遠隔操作可能な特定のエリアにあることを認識する端末認識手段とを備え、前記端末認識手段による前記認識があることを条件に、前記移動体通信端末のタッチパネル式ディスプレイに前記操作対象機器を操作するための専用操作画面を表示することを特徴とする遠隔操作システム。
【発明の効果】
【０００６】
本発明は、以上説明したように構成されているので、各エリアに対応した専用操作画面を容易に表示することができる。
【図面の簡単な説明】
【０００７】
【図１】本発明に係る遠隔操作システムの一例を示す模式図である。
【図２】同遠隔操作システムによる処理を示すフローチャートである。
【図３】エリア毎の専用操作画面を例示する模式図である。
【図４】本発明に係る遠隔操作システムの他例を示す模式図である。
【図５】本発明に係る遠隔操作システムの他例を示す模式図である。
【図６】本発明に係る遠隔操作システムの他例を示す模式図である。
【図７】本発明に係る遠隔操作システムの他例を示す模式図である。
【図８】本発明に係る遠隔操作システムの他例を示す模式図である。
【図９】本発明に係る遠隔操作システムの他例を示す模式図である。
【図１０】移動体通信端末の一例を示す模式図であり、（ａ）は通常ホーム画面のみの表示状態を示し、（ｂ）は部分的に専用操作画面を表示した状態を示す。
【発明を実施するための形態】
【０００８】
本実施の形態の第１の特徴は、タッチパネル式ディスプレイ及び無線通信機能を有する移動体通信端末と、該移動体通信端末から無線発信される制御信号により遠隔操作される操作対象機器と、前記移動体通信端末が前記操作対象機器を遠隔操作可能な特定のエリアにあることを認識する端末認識手段とを備え、前記端末認識手段による前記認識があることを条件に、前記移動体通信端末のタッチパネル式ディスプレイに前記操作対象機器を操作するための専用操作画面を表示する（図１〜図３参照）。
【０００９】
ここで、前記「タッチパネル式ディスプレイ及び無線通信機能を有する移動体通信端末」とは、移動体通信システムを利用した無線通信機能を有するとともにタッチパネル式ディスプレイを具備した汎用コンピュータ等を意味し、この移動体通信端末には、ウェアラブルコンピュータや、スマートフォン、タブレットパソコン、タッチパネル式ディスプレイを有する携帯電話、前記通信機能を有するゲーム機、ＰＤＡ、ポータブルデバイス等を含む。なお、この移動体通信端末には、開閉装置に標準装備される専用リモコン装置は含まない。
また、前記移動体通信端末をウェアラブルコンピュータとした場合、このウェアラブルコンピュータの具体例には、時計型のものや、眼鏡型のもの、ネックレス型のもの、指輪型のもの等が挙げられる。
【００１０】
第２の特徴として、前記端末認識手段は、前記特定のエリアにて所定の無線信号を発信し続ける近距離無線発信機を備え、前記移動体通信端末が前記所定の無線信号を受信した場合に、前記認識があったものとみなす（図１参照）。
【００１１】
第３の特徴としては、前記端末認識手段は、前記特定のエリアに前記移動体通信端末が進入するのを感知する進入感知部を備え、前記進入感知部による感知信号がある場合に、前記認識があったものとみなす（図４参照）。
【００１２】
第４の特徴としては、前記端末認識手段は、前記特定のエリアの入口に、近接する移動体通信端末を感知する近接感知部を備え、前記近接感知部が前記移動体通信端末の接近を感知した場合に、前記認識があったものとみなす（図５参照）。
【００１３】
第５の特徴としては、前記端末認識手段は、前記操作対象機器又は前記操作対象機器の近傍に、近接させた前記移動体通信端末により感知可能なＩＣタグを備え、前記移動体通信端末により前記ＩＣタグのデータを読み取り、前記ＩＣタグのデータが予め前記移動体通信端末に記憶したデータに一致した場合に、前記認識があったものとみなす（図６参照）。
【００１４】
第６の特徴としては、前記端末認識手段は、前記操作対象機器又は前記操作対象機器の近傍に、前記移動体通信端末により撮像可能なコード表示を備え、前記移動体通信端末により前記コード表示が撮像され、その撮像された前記コード表示に含まれるデータが予め前記移動体通信端末に記憶したデータに一致した場合に、前記認識があったものとみなす（図７参照）。
【００１５】
第７の特徴としては、前記移動体通信端末には、操作者を認証する認証装置が具備され、前記専用操作画面を表示する条件には、前記認証装置による認証があることが含まれる（図８参照）。
【００１６】
第８の特徴としては、前記移動体通信端末には傾きセンサが具備され、前記専用操作画面を表示する条件には、前記傾きセンサにより所定の傾きを感知したことが含まれる（図９参照）。
【００１７】
第９の特徴としては、前記操作対象機器が、複数の異なるエリアにそれぞれ設けられ、前記移動体通信端末は、前記複数の異なるエリアにそれぞれ対応した異なる専用操作画面を記憶し、これら複数の専用操作画面のうち、前記認識のあった端末認識手段に応じた専用操作画面を表示する（図３参照）。
【００１８】
第１０の特徴としては、前記操作対象機器がシャッター装置である（図１及び図４〜図８参照）。
【００１９】
なお、前記第１〜第１０の特徴は、適宜に組み合わせたり併用したりすることが可能である。
【００２０】
また、後述する実施態様では、以下の構成要件のみを必須とした発明も開示している。
すなわち、この発明の一つは、タッチパネル式ディスプレイ及び無線通信機能を有する移動体通信端末と、該移動体通信端末から無線発信される制御信号により遠隔操作される操作対象機器と、前記移動体通信端末と一体の認証装置とを備え、前記認証装置による認証があることを条件に、前記移動体通信端末のタッチパネル式ディスプレイに前記操作対象機器を操作するための専用操作画面を表示する（図８参照）。
【００２１】
また、他の発明としては、タッチパネル式ディスプレイ及び無線通信機能を有する移動体通信端末と、該移動体通信端末から無線発信される制御信号により遠隔操作される操作対象機器と、前記移動体通信端末と一体の傾きセンサとを備え、前記傾きセンサにより所定の傾きを感知したことを条件に、前記移動体通信端末のタッチパネル式ディスプレイに前記操作対象機器を操作するための専用操作画面を表示する（図９参照）。
【００２２】
次に、上記特徴を有する具体的な実施態様について、図面に基づいて詳細に説明する。
【００２３】
＜第１実施態様＞
この遠隔操作システムＡは、建物内の複数のエリア（例えば、各部屋や、入口前、玄関、廊下、階段等）にそれぞれ設けられた操作対象機器２０を、同一又は複数の移動体通信端末１０によってエリア毎に遠隔操作するものである。
【００２４】
遠隔操作システムＡは、タッチパネル式ディスプレイ及び無線通信機能を有する移動体通信端末１０と、該移動体通信端末１０から無線発信される制御信号により遠隔操作される操作対象機器２０と、操作対象機器２０の設置された部屋にて所定の無線信号を発信し続ける近距離無線発信機３１とを備え、移動体通信端末１０及び近距離無線発信機３１を、移動体通信端末１０が操作対象機器２０を遠隔操作可能な特定のエリアにあることを認識する端末認識手段として機能させる。
【００２５】
移動体通信端末１０は、タッチパネル式ディスプレイ、送受信可能な無線通信機、ＣＰＵ、記憶装置、入出力装置等を備えており、例えば、スマートフォン（図１参照）や、ウェアラブルコンピュータ（図３参照）等とすればよい。
この移動体通信端末１０は、携帯電話回線やＷｉ−Ｆｉ等を介してインターネット回線に無線接続するネットワーク接続機能と、Ｗｉ−Ｆｉ通信機能、赤外線通信やBluetooth(登録商標)通信等により、近距離無線発信機３１や操作対象機器２０の無線通信機２３等と直接的に近距離無線通信をする近距離通信機能とを具備している。
特に、本実施態様の遠隔操作システムＡでは、前記近距離通信機能として、通信可能距離が約１ｍのBluetooth(登録商標) Class3を用いる。
【００２６】
移動体通信端末１０には、予めインターネット回線を介してダウンロードされた専用プログラム（アプリ）がインストールされている。この専用プログラムは、移動体通信端末１０及び操作対象機器２０を前記端末認識手段として機能させる。
【００２７】
操作対象機器２０は、図１の例示によれば、開閉体２１を、その上方側の巻取装置２２によって巻き取ったり繰り出したりして開閉動作させる窓用シャッター装置であり、建物開口部における窓サッシの室内側に設置されている。
この操作対象機器２０は、巻取装置２２を構成するケース内に、移動体通信端末１０からの無線による制御信号を受信する無線通信機２３が具備されている。
この無線通信機２３は、前記制御信号を受信可能な周知の無線モジュール等を具備して構成される。移動体通信端末１０と無線通信機２３との無線通信は、例えば、Ｗｉ−Ｆｉ通信又は赤外線通信とすればよい。
【００２８】
なお、移動体通信端末１０と近距離無線発信機３１との間の通信、及び移動体通信端末１０と操作対象機器２０との間の通信は、インターネットアクセスのための通信規格（例えばＬＴＥや３Ｇ等）とは異なる規格の無線通信とすることが好ましい。
【００２９】
また、無線通信機２３は、少なくとも受信機能を有するものであればよいが、より好ましい態様としては、受信機能及び送信機能を有するものとし、必要に応じて、操作対象機器２０であるシャッター装置側の情報を移動体通信端末１０に無線送信するようにしてもよい。
また、操作対象機器２０は、移動体通信端末１０からの制御信号を受信する無線通信機２３を具備した機器であればよく、この操作対象機器２０の他例としては、照明器具や、映像機器、音響機器、施錠装置、セキュリティ機器、空調機器、暖房機器、その他の機器等とすることが可能である。
【００３０】
近距離無線発信機３１は、図示例によれば、特定の部屋（エリア）の天井に設置されたシーリングライト３０に内蔵されている。
この近距離無線発信機３１は所定の無線信号を、電波を搬送媒体にして発信し続ける。
なお、図示例以外の他例としては、近距離無線発信機３１を端末認識手段３０とは別の箇所（例えば、シャッター装置のケース内や、壁面、天井面等）に、同一エリア内に単数又は複数設けた態様とすることが可能である。
【００３１】
前記所定の無線信号は、移動体通信端末１０によって認識可能な信号であればよく、本実施の形態の好ましい一例によれば、操作対象機器２０が設置された特定のエリアを区別可能なエリアコードを含む信号としている。
前記エリアコードは、例えば、複数ビットのコードとすればよく、図３に例示するように、「寝室」や、「リビング」、「入口前（玄関・廊下）」、「子供部屋」等、建物内の異なる複数のエリアにそれぞれ対応するように複数種類設けられる。
【００３２】
なお、前記所定の無線信号の他例としては、操作対象機器２０自体を区別可能な個別の信号とすることも可能である。
また、近距離無線発信機３１の他例としては、超音波や、光（例えばＩｒＤＡ規格による無線通信）等を用いた通信により、前記所定の無線信号を発信する態様とすることも可能である。
【００３３】
次に、移動体通信端末１０が前記専用プログラムを実行した際の動作について詳細に説明する（図２参照）。
【００３４】
先ず、移動体通信端末１０は、前記専用プログラムを実行することにより、端末認識ルーチンを実行する（図２のステップ１参照）。この端末認識ルーチンは、当該移動体通信端末１０が操作対象機器２０を遠隔操作可能な所定のエリアにあるか否かを認識する処理ルーチンである。
前記端末認識ルーチンについて詳細に説明すれば、移動体通信端末１０は、前記所定の無線信号を受信したことを条件に、当該移動体通信端末１０が操作対象機器２０を遠隔操作可能な特定のエリアにあるものとみなし処理をステップ２（専用操作画面表示ルーチン）へ進める。また、移動体通信端末１０は、前記所定の無線信号を受信しない場合には、当該移動体通信端末１０が前記エリアの外にあるものとみなし、前記所定の無線信号を受信するのを待つ。
【００３５】
次のステップ２では、移動体通信端末１０は、予め記憶してある複数の専用操作画面のうち、前記所定の無線信号に含まれるエリアコードに応じた専用操作画面を、タッチパネル式ディスプレイに表示し、ステップ３へ処理を進める。
【００３６】
図３に示す一例について具体的に説明すれば、移動体通信端末１０は、前記所定の無線信号に含まれるエリアコード（図示例によれば００００〜００１１）に応じて、寝室用の専用表示画面１１、リビング用の専用表示画面１２、入口前用の専用表示画面１３、子供部屋用の専用表示画面１４等を表示する。
【００３７】
寝室用の専用表示画面１１は、操作対象機器２０としての窓用シャッター装置を操作するための開放スイッチ１１ａ、閉鎖スイッチ１１ｂ、停止スイッチ１１ｃ、部屋の照明器具をオンオフするための照明スイッチ１１ｄ等のタッチ入力可能な画像（以降、タッチ入力用画像と称する。）と、時刻や当該エリアの名称等、タッチ入力不能な画像（以降、表示画像と称する。）とによって構成される。
【００３８】
リビング用の専用表示画面１２は、操作対象機器２０としての窓用シャッター装置を操作するための開放スイッチ１２ａ、閉鎖スイッチ１２ｂ、停止スイッチ１２ｃ、部屋の照明器具をオンオフするための照明スイッチ１２ｄ等のタッチ入力用画像と、時刻や当該エリアの名称等の表示画像とによって構成される。
【００３９】
入口前用の専用表示画面１３は、入口前の廊下の複数の照明器具をオンオフするためのスイッチ１３ａ、入口前の単数の照明器具をオンオフするためのスイッチ１３ｂ、ドアの施錠装置を開閉するためのスイッチ１３ｃ、防犯装置をオンオフするためのスイッチ１３ｄ等のタッチ入力用画像と、時刻や当該エリアの名称等の表示画像とによって構成される。
【００４０】
子供部屋用の専用表示画面１４は、操作対象機器２０としての窓用シャッター装置を操作するための開放スイッチ１４ａ、閉鎖スイッチ１４ｂ、停止スイッチ１４ｃ、部屋の照明をオンオフするための照明スイッチ１４ｄ等のタッチ入力用画像と、時刻や当該エリアの名称等の表示画像とによって構成される。
【００４１】
なお、図３は、移動体通信端末１０として時計型のウェアラブルコンピュータを用いているが、スマートフォンやその他の移動体通信端末を用いた場合も、同様にして、上述したタッチ入力用画像及び表示画像を表示する。
また、例えば、図１に示す態様では、移動体通信端末１０であるスマートフォンに、窓用シャッター装置を操作するための専用操作画面１５として、開放スイッチ１５ａ、閉鎖スイッチ１５ｂ、停止スイッチ１５ｃ等を表示している。
【００４２】
次に、移動体通信端末１０は、上記タッチ入力用画像に対するタッチ入力操作があるか否かを判断し（ステップ３）、タッチ入力操作があった場合には、そのタッチ入力操作に応じた制御信号を発信し（ステップ４）、そうでなければステップ１へ処理を戻す。
例えば、図１に示す部屋が寝室であり、専用表示画面１１の閉鎖スイッチ１１ｂ（図３参照）がタッチ入力操作された場合、移動体通信端末１０は、操作対象機器２０である窓用シャッター装置の開閉体２１を閉鎖するための制御信号を発する。
一方、操作対象機器２０は、前記制御信号を受信すると、巻取装置２２を駆動して開閉体２１を閉鎖動作する。
【００４３】
同様に、例えば、専用表示画面１１の照明スイッチ１１ｄ（図３参照）がタッチ入力操作された場合、移動体通信端末１０は、シーリングライト３０をオンまたはオフするための制御信号を発する。
一方、シーリングライト３０は、内蔵する受信機（図示せず）により前記制御信号を受信すると、該制御信号に含まれる指令に応じてオンまたはオフする。
【００４４】
また、上記ステップ３にて、タッチ入力操作がなく、その後、上記ステップ１にて、他のエリアコードを含む上記所定の無線信号を受信した場合には、そのエリアコードに応じた他の専用操作画面が表示され、上記同様にしてステップ３及び４の処理が行われる。
【００４５】
よって、上記構成の遠隔操作システムＡによれば、移動体通信端末１０が所定のエリアに進入した時点で、該エリア内の操作対象機器２０に対応する専用操作画面を表示することができる。
また、前記エリアを変更した場合も、同移動体通信端末１０に、変更されたエリアに対応する専用操作画面を表示することができる。
このため、操作者が操作画面の切り換えを煩わしく感じるようなことを、軽減することができる。
【００４６】
なお、上記実施態様によれば、移動体通信端末１０が特定エリア内でのみ所定の無線信号を受信する手段として、Bluetooth(登録商標) Class3規格の無線通信を行うようにしたが、この無線通信に換わる手段、又はこの無線通信に併用する手段として、以下に示す他の手段を用いてもよい。
すなわち、前記他の手段は、所定の無線信号を発信する近距離無線発信機３１の発信電波強度を、適宜に弱く設定した態様や、所定の無線信号を受信する移動体通信端末１０側の受信感度を適宜に低く設定した態様としてもよい。
さらに他の手段としては、移動体通信端末１０が複数受信する無線信号のうちの最も強度の強い電波（図１によれば近距離無線発信機３１の電波）を所定の無線信号とみなすようにした態様としてもよい。
さらに他の手段としては、近距離無線発信機３１を設置した部屋の壁を電波遮蔽構造にし、近距離無線発信機３１から発信される所定の無線信号が、前記部屋内でのみ受信されるようにした態様や、近距離無線発信機３１の指向性の設定により、近距離無線発信機３１から発信される所定の信号が前記部屋内でのみ受信されるようにした態様等とすることも可能である。
【００４７】
＜第２実施態様＞
次に、本発明に係る他の実施態様について説明する。以下に示す実施態様は、上記遠隔操作システムＡについて一部を変更したものであるため、主にその変更部分について詳述し、同一部分については同一の符号を用い、重複する説明を適宜省略する。
【００４８】
図４に示す遠隔操作システムＢは、操作対象機器２０の設置された部屋（エリア）に移動体通信端末１０が進入するのを感知する進入感知部４０を備え、移動体通信端末１０及び進入感知部４０を、移動体通信端末１０が操作対象機器２０を遠隔操作可能な特定のエリアにあることを認識する端末認識手段として機能させる。
【００４９】
進入感知部４０は、人が通行可能なゲート状あるいは枠状等に構成され、これらの内側を通過するタグ１６を感知し、この感知に応じて、移動体通信端末１０に専用操作画面を表示させる指令を含む表示指令信号を無線発信する。前記特定のエリアが複数ある場合、この進入感知部４０は前記エリア毎に設けられる。
前記表示指令信号には、上記遠隔操作システムＡと同様に、特定のエリアを区別可能なエリアコードを含む。
【００５０】
移動体通信端末１０には、進入感知部４０によって感知可能なタグ１６が設けられる。
タグ１６は、シール状や、小型チップ状、カード状等に構成され、移動体通信端末１０の外面に止着された態様や、移動体通信端末１０内に装着された態様とすることが可能である。
【００５１】
なお、進入感知部４０及びタグ１６には、電波感知式や電磁感知式等に防犯タグを感知するようにした周知の防犯ゲートシステムを用いることが可能である。
【００５２】
次に、上記構成の遠隔操作システムＢにおいて、移動体通信端末１０の特徴的な処理を説明する。
この遠隔操作システムＢの処理は、遠隔操作システムＡの処理に対し、図２のフローチャートにおける端末認識ルーチン（ステップ１）の内容が異なる。
すなわち、移動体通信端末１０は、前記専用プログラムを実行することにより、当該移動体通信端末１０が操作対象機器２０を遠隔操作可能な特定のエリアにあるか否かを認識する端末認識ルーチンを実行する（ステップ１）。
この前記端末認識ルーチンでは、移動体通信端末１０が、前記表示指令信号の受信を開始し、前記表示指令信号を受信したことを条件に、当該移動体通信端末１０が前記エリアにあるものとみなし処理をステップ２（専用操作画面表示ルーチン）へ進め、そうでなければ移動体通信端末１０が前記エリア以外にあるものとみなし、前記表示指令信号を受信するのを待つ。
【００５３】
この後、移動体通信端末１０は、前記表示指令信号に含まれるエリアコードに応じて、予め記憶してある特定の専用操作画面１５を表示する（ステップ２）。
そして、移動体通信端末１０は、専用操作画面１５に対するタッチ入力操作を待ち（ステップ３）、タッチ入力操作があれば、そのタッチ入力操作に応じた制御信号を発信する（ステップ４）。
一方、操作対象機器２０は、前記制御信号を受信すると、該制御信号に含まれる指令に応じた動作をする。
【００５４】
なお、上記実施態様では、移動体通信端末１０が、前記表示指令信号に応じて専用操作画面１５を表示するようにしたが、他例としては、進入感知部４０がタグ１６を感知したことを示す感知信号をインターネット上のサーバコンピュータに送信し、該サーバコンピュータが、前記感知信号の受信に応じて特定の専用操作画面１５を表示するための表示指令信号を移動体通信端末１０に送信し、移動体通信端末１０が受信した前記表示指令信号に応じて専用操作画面１５を表示する態様とすることも可能である。
【００５５】
＜第３実施態様＞
図５に示す遠隔操作システムＣは、操作対象機器２０の設置された部屋（エリア）の入口に、近接する移動体通信端末を感知する近接感知部５０を備え、移動体通信端末１０及び近接感知部５０を、移動体通信端末１０が操作対象機器２０を遠隔操作可能な特定のエリアにあることを認識する端末認識手段として機能させる。
【００５６】
近接感知部５０は、周知のＩＣタグリーダーであり、アンテナ、近距離無線通信機及びマイコン等を備え、前記アンテナから発信する電磁波により、接近（かざし操作）されるＩＣタグ１７へ電力を供給する。前記特定のエリアが複数ある場合、この近接感知部５０は前記エリア毎に設けられる。
この近接感知部５０には、例えば、NFC（Near Field Communication）規格の近距離無線通信機を具備したＩＣタグリーダーを用いることができる。
【００５７】
ＩＣタグ１７は、近接感知部５０から発信される電磁波により電力供給されて、当該ＩＣタグ１７特有の認証コードを含む電波を発信する周知のＩＣチップである。
このＩＣタグ１７は、移動体通信端末１０に内蔵された態様や、移動体通信端末１０の外面に装着されたカード状等の態様（所謂ＩＣカード）等とすることが可能である。
【００５８】
上記構成の近接感知部５０は、ＩＣタグ１７から発信される電波に含まれる認証コードを認証した場合に、部屋のドアの施錠機構５１に開錠指令を発するするとともに、操作対象機器２０が設置された部屋（エリア）に対応する専用操作画面１５を表示するための表示指令信号を、無線発信する。
【００５９】
次に、上記構成の遠隔操作システムＣにいて、移動体通信端末１０による特徴的な処理をフローチャートに沿って説明する。
先ず、移動体通信端末１０は、予めインストールされた専用プログラムを実行することにより、当該移動体通信端末１０が操作対象機器２０を遠隔操作可能な特定のエリアにあるか否かを認識する端末認識ルーチンを実行する（ステップ１）。
この端末認識ルーチンにおいて、移動体通信端末１０が近接感知部５０にかざされる操作に応じて、近接感知部５０が前記表示指令信号を発信し、この表示指令信号が移動体通信端末１０によって受信されると、移動体通信端末１０は、当該移動体通信端末１０が前記特定のエリアにあるものとみなし処理をステップ２（専用操作画面表示ルーチン）へ進め、そうでなければ移動体通信端末１０が前記エリア以外にあるものとみなし前記表示指令信号を受信するのを待つ。
【００６０】
この後、移動体通信端末１０は、前記表示指令信号に含まれるエリアコードに応じて、予め記憶してある特定の専用操作画面１５を表示する（ステップ２）。
そして、移動体通信端末１０は、専用操作画面１５に対するタッチ入力操作を待ち（ステップ３）、タッチ入力操作があれば、そのタッチ入力操作に応じた制御信号を発信する（ステップ４）。
一方、操作対象機器２０は、前記制御信号を受信すると、該制御信号に含まれる指令に応じた動作をする。
【００６１】
なお、上記実施態様では、移動体通信端末１０が、前記表示指令信号に応じて、専用操作画面１５を表示するようにしたが、他例としては、近接感知部５０がＩＣタグ１７を感知したことを示す感知信号をインターネット上のサーバコンピュータに送信し、該サーバコンピュータが、前記感知信号の受信に応じて特定の専用操作画面１５を表示するための表示指令信号を移動体通信端末１０に送信し、移動体通信端末１０が受信した前記表示指令信号に応じて専用操作画面１５を表示する態様とすることも可能である。
【００６２】
また、図示例以外の他例としては、近接感知部５０をＩＣタグとし、このＩＣタグを、移動体通信端末１０に具備されたＩＣカードリーダーによって感知する態様とすることも可能である。
【００６３】
＜第４実施態様＞
図６に示す遠隔操作システムＤは、操作対象機器２０、又は操作対象機器２０の近傍に、近接（かざし操作）させた移動体通信端末１０により感知可能なＩＣタグ６０を備え、移動体通信端末１０及びＩＣタグ６０を、移動体通信端末１０が操作対象機器２０を遠隔操作可能な特定のエリアにあることを認識する端末認識手段として機能させる。
【００６４】
この遠隔操作システムＤにおける移動体通信端末１０は、上述した近接感知部５０と略同様の構成（例えば、NFC（Near Field Communication）規格の近距離無線通信機を具備したＩＣタグリーダー）を具備する。
【００６５】
ＩＣタグ６０は、移動体通信端末１０の前記ＩＣタグリーダーからから発信される電磁波により電力供給されて、電波を発信する周知のＩＣチップである。
このＩＣタグ６０は、当該ＩＣタグ６０特有の認証コードや、操作対象機器２０が設置されたエリア毎のエリアコード等のデータを予め記憶しており、これらのデータを電波にのせて無線発信する。
なお、図示例によれば、操作対象機器２０の近傍にＩＣタグ６０を設置しているが、他例としては、操作対象機器２０の外表面や、操作対象機器２０の内部にＩＣタグ６０を設置した態様とすることも可能である。
【００６６】
次に、上記構成の遠隔操作システムＤにおいて、移動体通信端末１０による特徴的な処理について説明する。
先ず、移動体通信端末１０は、予めインストールされた専用プログラムを実行することにより、当該移動体通信端末１０が操作対象機器２０を遠隔操作可能な特定のエリアにあるか否かを認識する端末認識ルーチンを実行する（図２のステップ１参照）。
この端末認識ルーチンにおいて、移動体通信端末１０は、ＩＣタグ６０に対するかざし操作により、ＩＣタグ６０からから前記認証コードやエリアコード等のデータを受信し、且つ前記認証コードが予め記憶したコードに一致する場合に、当該移動体通信端末１０が前記エリアにあるものとみなしステップ２（専用操作画面表示ルーチン）へ処理を進め、そうでなければ移動体通信端末１０が前記エリア以外にあるものとみなして当該ステップ１を繰り返す。
【００６７】
この後、移動体通信端末１０は、無線受信したデータ（ＩＣタグ６０から送信されたデータ）に含まれるエリアコードに応じて、予め記憶してある特定の専用操作画面１５を表示する（ステップ２）。
そして、移動体通信端末１０は、専用操作画面１５に対するタッチ入力操作を待ち（ステップ３）、タッチ入力操作があれば、そのタッチ入力操作に応じた制御信号を発信する（ステップ４）。また、タッチ入力操作がなければ、ステップ１へ処理を戻す。
一方、操作対象機器２０は、前記制御信号を受信すると、該制御信号に含まれる指令に応じた動作をする。
【００６８】
なお、上記遠隔操作システムＤによれば、特にセキュリティ性の高い態様として、前記端末認識ルーチンにおいて、認証コードが移動体通信端末１０に予め記憶されたコードに一致することを条件に、当該移動体通信端末１０が所定のエリアにあるものとみなすようにしたが、他例としては、前述したコード認証等の条件を省き、単に移動体通信端末１０がＩＣタグ６０の電波を受信した場合に専用操作画面１５を表示する態様とすることも可能である。
【００６９】
＜第５実施態様＞
図７に示す遠隔操作システムＥは、操作対象機器２０、又は操作対象機器２０の近傍に、移動体通信端末１０により撮像可能なコード表示７０を備え、移動体通信端末１０及びコード表示７０を移動体通信端末１０が操作対象機器２０を遠隔操作可能な特定のエリアにあることを認識する端末認識手段として機能させる。
【００７０】
コード表示７０は、例えば、バーコードやＱＲコード（登録商標）であり、図示例によれば、操作対象機器２０近傍の部屋の壁面に装着されている。
このコード表示７０には、移動体通信端末１０に予め記憶したコードに対応する認証コードや、操作対象機器２０が設置された部屋（エリア）を示すエリアコード等の情報が含まれる。
なお、他例としては、このコード表示７０を、操作対象機器２０の外表面に設けた態様としてもよい。
【００７１】
移動体通信端末１０は、コード表示７０を撮像するカメラ機能や、撮像したコード表示７０を読み取る機能（バーコードリーダやＱＲコードリーダ等の機能）を有したものである。
【００７２】
次に、上記構成の遠隔操作システムＥにおいて、移動体通信端末１０による特徴的な処理について説明する。
先ず、移動体通信端末１０は、予めインストールされた専用プログラムを実行することにより、当該移動体通信端末１０が操作対象機器２０を遠隔操作可能な特定のエリアにあるか否かを認識する端末認識ルーチンを実行する（図２のステップ１参照）。
この端末認識ルーチンでは、移動体通信端末１０によってコード表示７０が撮像され、この撮像されたコード表示７０に含まれる認証コードが、予め移動体通信端末１０に記憶されたコードと一致した場合に、移動体通信端末１０が前記エリアにあるものとみなしステップ２へ処理を進め、そうでなければ移動体通信端末１０が前記エリア以外にあるものとみなして当該ステップ１を繰り返す。
【００７３】
この後、移動体通信端末１０は、撮像したコード表示７０に含まれるエリアコードに応じて、予め記憶してある特定の専用操作画面１５を表示する（ステップ２）。
そして、移動体通信端末１０は、専用操作画面１５に対するタッチ入力操作を待ち（ステップ３）、タッチ入力操作があれば、そのタッチ入力操作に応じた制御信号を発信する（ステップ４）。また、タッチ入力操作がない場合には、前記ステップ１へ処理を戻す。
一方、操作対象機器２０は、前記制御信号を受信すると、該制御信号に含まれる指令に応じた動作をする。
【００７４】
＜第６実施態様＞
図８に示す遠隔操作システムＦは、上述した遠隔操作システムＡに加える構成として、移動体通信端末１０に認証装置１８を具備し、この認証装置１８を用いた指紋認証を、専用操作画面１５を表示するための条件としている。
【００７５】
上記構成の遠隔操作システムＦにおいて、移動体通信端末１０による特徴的な処理について説明する。
先ず、移動体通信端末１０は、予めインストールされた専用プログラムを実行することにより、当該移動体通信端末１０が操作対象機器２０を遠隔操作可能な特定のエリアにあるか否かを認識する端末認識ルーチンを実行する（図２のステップ１参照）。
この端末認識ルーチンでは、移動体通信端末１０が、近距離無線発信機３１による所定の無線信号を受信したことを条件に、当該移動体通信端末１０が操作対象機器２０を遠隔操作可能な特定のエリアにあるものとみなしステップ２（専用操作画面表示ルーチン）へ処理を進め、前記所定の無線信号を受信しない場合には、当該移動体通信端末１０が前記エリアの外にあるものとみなして当該ステップ１を繰り返す。
【００７６】
ステップ２（専用操作画面表示ルーチン）では、移動体通信端末１０が前記ステップ１にて前記所定のエリア（図１によれば同じ部屋内）にあるものと認識し、且つ所定時間内に認証装置１８による指紋の感知があり、該指紋が予め記憶した指紋に一致したことを条件に、前記所定の無線信号に含まれるエリアコードに応じた専用操作画面を、タッチパネル式ディスプレイに表示する（ステップ２）。また、前記条件を満たさない場合には、処理をステップ１へ戻す。
【００７７】
そして、移動体通信端末１０は、専用操作画面１５に対するタッチ入力操作を待ち（ステップ３）、タッチ入力操作があれば、そのタッチ入力操作に応じた制御信号を発信する（ステップ４）。また、タッチ入力操作がない場合には、ステップ１へ処理を戻す。
一方、操作対象機器２０は、前記制御信号を受信すると、該制御信号に含まれる指令に応じた動作をする。
【００７８】
なお、上記遠隔操作システムＦによれば、遠隔操作システムＡに加えて前記指紋認証等の構成を具備したが、他例としては、遠隔操作システムＢ〜Ｅの何れかに加えて、前記指紋認証等の構成を具備するようにしてもよい。
【００７９】
また、上記認証装置１８は、指紋認証装置としたが、この認証装置１８の他例としては、移動体通信端末１０に具備されたパスワード認証機能や、顔認識認証機能、その他の認証機能を用いた構成とすることが可能である。
【００８０】
＜第７実施態様＞
図９に示す遠隔操作システムＧは、上述した遠隔操作システムＡに加える構成として、移動体通信端末１０に傾きセンサ（図示せず）を具備し、この傾きセンサにより所定の傾きを感知したことを、専用操作画面１５を表示する条件としている。
【００８１】
移動体通信端末１０は、周知の傾きセンサを具備しており、予めインストールされた専用プログラムを実行した際に、前記傾きセンサにより測定された傾き値に応じた処理をする。
【００８２】
この遠隔操作システムＧによる処理を詳細に説明すれば、先ず、移動体通信端末１０は、前記専用プログラムを実行することにより、当該移動体通信端末１０が操作対象機器２０を遠隔操作可能な特定のエリアにあるか否かを認識する端末認識ルーチンを実行する（図２のステップ１参照）。
この端末認識ルーチンは、上述した遠隔操作システムＡの端末認識ルーチンとすればよく、この端末認識ルーチンの後に、ステップ２（専用操作画面表示ルーチン）が実行される。
【００８３】
ステップ２（専用操作画面表示ルーチン）では、移動体通信端末１０が前記端末認識ルーチンにて所定のエリアにあるものと認識され、且つ、この認識から設定時間（例えば数秒程度）内に前記傾きセンサによる傾き値が予め設定した閾値を超えたことを条件に、近近距離無線発信機３１の無線信号に含まれるエリアコードに応じた専用操作画面を、所定時間（例えば数秒程度）、タッチパネル式ディスプレイに表示する（ステップ２）。また、前記条件を満たさない場合には、処理をステップ１へ戻す。
より具体的に説明すれば、図９（ａ）（ｂ）に示すように、移動体通信端末１０を装着した腕を振り上げる操作により、前記傾きセンサによる傾き値が、予め設定した閾値を超えると、移動体通信端末１０には前記エリアコードに応じた専用操作画面（図示例によればリビング用の専用表示画面１２）が、所定時間表示される。
【００８４】
そして、移動体通信端末１０は、専用操作画面１２に対するタッチ入力操作を待ち（ステップ３）、所定時間（例えば数秒程度）内にタッチ入力操作があれば、そのタッチ入力操作に応じた制御信号を発信する（ステップ４）。また、所定時間内にタッチ入力操作がなければ、専用表示画面１２を表示する前の画面（例えばホーム画面）を表示して、処理をステップ１へ戻す。
一方、シャッター装置や照明器具等の操作対象機器２０は、前記制御信号を受信すると、該制御信号に含まれる指令に応じた動作をする。
【００８５】
よって、上述した遠隔操作システムＡ〜Ｇによれば、操作対象機器２０が設置されたエリア毎に、該エリアに対応する専用操作画面を簡単に表示することができ、操作性及びセキュリティ性等を向上することができる。
【００８６】
なお、図１に示す移動体通信端末１０の専用操作画面１５は、タッチパネル式ディスプレイの全体に、開放スイッチ１５ａ、閉鎖スイッチ１５ｂ、停止スイッチ１５ｃ等を表示したが、他例としては、図１０に示す移動体通信端末１０’のようにしてもよい。
移動体通信端末１０’は、上記ステップ１にて所定のエリアにあることを認識した場合に、上記ステップ２において、タッチパネル式ディスプレイの一部分に専用操作画面１５’をスライドさせて表示し（図１０（ｂ）参照）、他の部分に、他の部分には専用操作画面１５’以外の画面（例えばホーム画面等）を表示する。
なお、必要に応じて、前記専用操作画面１５’を、一方向のスワイプ操作により、タッチパネル式ディスプレイの縁側にスライド収納させたり、逆方向のスワイプ操作により再度出現させたりするようにしてもよい。
【００８７】
また、上述した遠隔操作システムＡ〜Ｇは、そのうちの複数のシステムを適宜に併用したり、これらシステム中の構成を適宜に組み合わせて用いたりすることが可能である。
【００８８】
また、本発明は上述した実施態様に限定されず、本発明の要旨を変更しない範囲で適宜変更が可能である。
【符号の説明】
【００８９】
１０，１０’：移動体通信端末
１１，１２，１３，１４，１５：専用操作画面
１６：タグ
１７：ＩＣタグ
１８：認証装置
２０：操作対象機器
３１：近距離無線発信機
４０：進入感知部
５０：近接感知部
６０：ＩＣタグ
７０：コード表示
Ａ，Ｂ，Ｃ，Ｄ，Ｅ，Ｆ：遠隔操作システム
【図１】
2018182425.tif 000003
【図２】
2018182425.tif 000004
【図３】
2018182425.tif 000005
【図４】
2018182425.tif 000006
【図５】
2018182425.tif 000007
【図６】
2018182425.tif 000008
【図７】
2018182425.tif 000009
【図８】
2018182425.tif 000010
【図９】
2018182425.tif 000011
【図１０】
2018182425.tif 000012